(57)【要約】【課題】短時間で且つ直感的にポインタの位置を知ることができる情報処理装置を提供する。【解決手段】情報処理装置１０は、表示画面２２にポインタＰを表示させる装置であり、表示画面２２におけるポインタＰの位置確認の指示を受け付ける指示受付部１２と、位置確認の指示を受け付けた場合に、表示画面２２におけるポインタＰの位置情報を取得する位置取得部１４と、位置取得部１４で取得された位置情報で示されるポインタＰの位置を基準とした同心円Ｃ１１〜Ｃ１５を表示画面２２の全体に表示させる同心画像情報を作成する画像作成部１６と、画像作成部１６で作成された同心画像情報を用いて、表示画面２２に同心円Ｃ１１〜Ｃ１５を表示させる表示制御部１８と、を備えている。【選択図】図３
2011203852.tif 000002
【特許請求の範囲】
【請求項１】
表示画面にポインタを表示させる情報処理装置であって、
前記表示画面における前記ポインタの位置確認の指示を受け付ける指示受付手段と、
前記位置確認の指示を受け付けた場合に、前記表示画面における前記ポインタの位置情報を取得する位置取得手段と、
前記位置取得手段で取得された前記位置情報で示されるポインタ位置を囲む第一の図形と当該第一の図形と相似し且つ前記第一の図形を囲む第二の図形とを少なくとも含む相似図形群を構成する画像情報を作成する画像作成手段と、
前記画像作成手段で作成された前記画像情報を用いて、前記表示画面に前記ポインタを前記相似図形群と共に表示させる表示制御手段と、
を備えたことを特徴とする情報処理装置。
【請求項２】
前記画像作成手段は、前記位置情報で示されるポインタ位置を基準とした同心状の図形を前記第一及び第二の図形とした前記画像情報を作成することを特徴とする請求項１に記載の情報処理装置。
【請求項３】
前記相似図形群は、複数の相似図形を同心状に配置した図形群であり、
前記画像作成手段は、前記相似図形群に含まれる各図形を示す線の太さが前記位置情報で示されるポインタ位置から外に向かって徐々に細くなる前記画像情報を作成することを特徴とする請求項１又は２に記載の情報処理装置。
【請求項４】
前記相似図形群は、複数の相似図形を同心状に配置した図形群であり、
前記画像作成手段は、前記相似図形群に含まれる各図形を示す線の濃度が前記位置情報で示されるポインタ位置から外に向かって徐々に薄くなる前記画像情報を作成することを特徴とする請求項１〜３の何れか一項に記載の情報処理装置。
【請求項５】
前記相似図形群は、複数の相似図形を同心状に配置した図形群であり、
前記画像作成手段は、前記相似図形群に含まれる図形であって隣接する図形同士の間隔が前記位置情報で示されるポインタ位置から外に向かって徐々に広くなる前記画像情報を作成することを特徴とする請求項１〜４の何れか一項に記載の情報処理装置。
【請求項６】
前記相似図形群は、複数の相似図形を同心状に配置した図形群であり、
前記表示制御手段は、前記表示画面に前記相似図形群を表示させる際、前記相似図形群に含まれる各図形を、前記位置情報で示されるポインタ位置から外に向かって又は前記外から前記ポインタ位置に向かって、表示タイミングをずらして順に表示させることを特徴とする請求項１〜５の何れか一項に記載の情報処理装置。
【請求項７】
前記相似図形群は、複数の相似図形を同心状に配置した図形群であり、
前記表示制御手段は、前記表示画面に前記相似図形群を表示させる際、前記相似図形群に含まれる各図形が、前記位置情報で示されるポインタ位置から外に向かって広がるように又は前記外から前記ポインタ位置へ向かって狭まるように表示させることを特徴とする請求項１〜５の何れか一項に記載の情報処理装置。
【請求項８】
前記相似図形群は、複数の相似図形を同心状に配置した図形群であり、
前記表示制御手段は、前記表示画面に前記ポインタ以外の所定の情報も表示させ、前記表示画面に前記相似図形群を表示させる際、前記所定の情報が前記相似図形群の表示濃度よりも薄く又は半透明になるように表示させることを特徴とする請求項１〜７の何れか一項に記載の情報処理装置。
【請求項９】
前記相似図形群は、同心円又は同心多角形であることを特徴とする請求項１〜８の何れか一項に記載の情報処理装置。
【請求項１０】
表示画面にポインタを表示させる情報処理装置における表示制御方法であって、
前記表示画面における前記ポインタの位置確認の指示を受け付ける指示受付ステップと、
前記位置確認の指示を受け付けた場合に、前記表示画面における前記ポインタの位置情報を取得する位置取得ステップと、
前記位置取得ステップにて取得された前記位置情報で示されるポインタ位置を囲む第一の図形と当該第一の図形と相似し且つ前記第一の図形を囲む第二の図形とを少なくとも含む相似図形群を構成する画像情報を作成する画像作成ステップと、
前記画像作成ステップにて作成された前記画像情報を用いて、前記表示画面に前記ポインタを前記相似図形群と共に表示させる表示制御ステップと、
を備えたことを特徴とする表示制御方法。
【発明の詳細な説明】
【技術分野】
【０００１】
本発明は、表示画面にポインタを表示させる情報処理装置及び当該情報処理装置における表示制御方法に関する。
【背景技術】
【０００２】
情報処理装置では、一般的に、表示画面上にポインタを表示させ、このポインタをマウス等の操作で移動させることにより、所定の処理を実行できるようになっている。ところで、表示画面上において、ポインタの位置がどこにあるのか分からなくなることがある。特に、ディスプレイの拡大化やディスプレイを複数用いるマルチモニタ化が進展するのに伴って、更にその傾向が強まっている。そこで、例えば特許文献１に記載の装置では、ポインタがマルチモニタの各画面の特定の位置を順次移動して、ポインタの位置がどこにあるのか分かるようになっている。
【先行技術文献】
【特許文献】
【０００３】
【特許文献１】特開２００８−２３４５０１号公報
【発明の概要】
【発明が解決しようとする課題】
【０００４】
しかしながら、特許文献１に記載の情報処理装置では、ポインタがマルチモニタの各画面間を移動している分、時間がかかってしまい、また、使用者が直感的にポインタの位置を探せないといった点があった。特に、ディスプレイの拡大化やマルチモニタ化が進展するのに伴って、更にその傾向が強まっており、更なる改良が望まれていた。
【０００５】
そこで、本発明は、短時間で且つ直感的にポインタの位置を知ることができる情報処理装置及び当該装置における表示制御方法を提供することを目的とする。
【課題を解決するための手段】
【０００６】
上記の課題を解決するために、本発明に係る情報処理装置は、表示画面にポインタを表示させる情報処理装置であって、表示画面におけるポインタの位置確認の指示を受け付ける指示受付手段と、位置確認の指示を受け付けた場合に、表示画面におけるポインタの位置情報を取得する位置取得手段と、位置取得手段で取得された位置情報で示されるポインタ位置を囲む第一の図形と当該第一の図形と相似し且つ第一の図形を囲む第二の図形とを少なくとも含む相似図形群を構成する画像情報を作成する画像作成手段と、画像作成手段で作成された画像情報を用いて、表示画面にポインタを相似図形群と共に表示させる表示制御手段と、を備えたことを特徴としている。
【０００７】
また、上記課題を解決するために、本発明に係る表示制御方法は、表示画面にポインタを表示させる情報処理装置における表示制御方法であって、表示画面におけるポインタの位置確認の指示を受け付ける指示受付ステップと、位置確認の指示を受け付けた場合に、表示画面におけるポインタの位置情報を取得する位置取得ステップと、位置取得ステップにて取得された位置情報で示されるポインタ位置を囲む第一の図形と当該第一の図形と相似し且つ第一の図形を囲む第二の図形とを少なくとも含む相似図形群を構成する画像情報を作成する画像作成ステップと、画像作成ステップにて作成された画像情報を用いて、表示画面にポインタを相似図形群と共に表示させる表示制御ステップと、を備えたことを特徴としている。
【０００８】
この情報処理装置又は表示制御方法によれば、ポインタ位置を囲む第一の図形と当該第一の図形を囲む第二の図形とを少なくとも含む相似図形群を構成する画像情報を作成し、この画像情報を用いて、表示画面にポインタを相似図形群と共に表示させるようにしている。この場合、ポインタ位置を順に囲む第一及び第二の図形を表示画面上に表示させて使用者に直感的に第一及び第二の図形の中心方向を見るように促すことで、使用者にポインタの現在位置を認識させるので、使用者にポインタの位置を直感的に知らせることができる。また、ポインタの位置が所定の場所に移動等するのではなく直感的にその位置を認識させるようになっているため、余分な時間をかけることなく短時間で使用者にポインタの位置を知らせることができる。なお、上述した相似図形群としては、同心円又は同心多角形があり、同心円には、同心楕円も含まれる。
【０００９】
上記情報処理装置では、画像作成手段は、位置情報で示されるポインタ位置を基準とした同心状の図形を第一及び第二の図形とした画像情報を作成することが好ましい。この場合、使用者に対し、ポインタの現在位置をより一層直感的に知らせることができる。
【００１０】
上記情報処理装置では、相似図形群は、複数の相似図形を同心状に配置した図形群であり、画像作成手段は、相似図形群に含まれる各図形を示す線の太さが位置情報で示されるポインタ位置から外に向かって徐々に細くなる画像情報を作成するようにしてもよい。また、画像作成手段は、相似図形群に含まれる各図形を示す線の濃度が位置情報で示されるポインタ位置から外に向かって徐々に薄くなる画像情報を作成するようにしてもよい。更に、画像作成手段は、相似図形群に含まれる図形であって隣接する図形同士の間隔が位置情報で示されるポインタ位置から外に向かって徐々に広くなる画像情報を作成するようにしてもよい。これらの何れか又は組み合わせを用いることにより、使用者に対し、ポインタの現在位置を更に直感的に知らせることができ、これにより、早期にポインタの現在位置を認識させることができる。
【００１１】
上記情報処理装置では、相似図形群は、複数の相似図形を同心状に配置した図形群であり、表示制御手段は、表示画面に相似図形群を表示させる際、相似図形群に含まれる各図形を、位置情報で示されるポインタ位置から外に向かって又は外からポインタ位置に向かって、表示タイミングをずらして順に表示させるようにしてもよい。また、表示制御手段は、表示画面に相似図形群を表示させる際、相似図形群に含まれる各図形が、位置情報で示されるポインタ位置から外に向かって広がるように又は外からポインタ位置へ向かって狭まるように表示させるようにしてもよい。このように表示方法を工夫することによって、使用者に対し、ポインタの現在位置を更に直感的に知らせることができ、これにより、一層、早期にポインタの現在位置を認識させることができる。
【００１２】
上記情報処理装置では、相似図形群は、複数の相似図形を同心状に配置した図形群であり、表示制御手段は、表示画面にポインタ以外の所定の情報も表示させ、表示画面に相似図形群を表示させる際、所定の情報が相似図形群の表示濃度よりも薄く又は半透明になるように表示させてもよい。この場合、ポインタの現在位置と表示画面上に表示されている所定の情報との位置関係を使用者が知ることができ、相似図形群の表示が終了した後、一旦分かったポインタの位置が再度分からなくなってしまうといった事態を避けることができる。また、所定の情報に比べて相似図形群を強調させることができるので、ポインタ位置の認識をより促すことができる。
【発明の効果】
【００１３】
本発明によれば、使用者は、短時間で且つ直感的にポインタの位置を知ることができる。
【図面の簡単な説明】
【００１４】
【図１】本実施形態に係る情報処理装置の一例を示す図である。
【図２】本実施形態に係る情報処理装置のハードウェア構成を示す図である。
【図３】本実施形態に係る情報処理装置の機能構成を示すブロック図である。
【図４】図３に示す情報処理装置による表示例を示す図ある。
【図５】図３に示す情報処理装置による表示制御を行う際の動作を示すフローチャートである。
【図６】情報処理装置による別の表示例を示す図である。
【図７】情報処理装置による更に別の表示例を示す図である。
【図８】情報処理装置による更に別の表示例を示す図である。
【図９】情報処理装置による更に別の表示例を示す図である。
【発明を実施するための形態】
【００１５】
以下、図面を参照して、本発明に係る好適な実施形態について詳細に説明する。なお、図面の説明において、可能な場合には、同一要素には同一符号を付し、重複する説明を省略する。
【００１６】
本実施形態に係る情報処理装置１０は、使用者Ｍによって使用される装置であり、例えば、図１に示されるようなパーソナルコンピュータから構成される。情報処理装置１０は、表示画面２２を含む表示装置２０と接続可能となっており、図１に示す例では一つの表示装置２０と接続されているが、二つや四つといった複数の表示装置２０とも接続可能であり、複数の表示装置２０に接続された場合にはマルチモニタ表示を行えるようになっている。表示装置２０は、例えば液晶ディスプレイ等から構成され、情報処理装置１０からの表示制御により、各種の文字情報や画像情報などを表示する。また、情報処理装置１０は、その入力装置１０ｄとして、キーボードやマウスを備えており、例えばマウス１０ｄの動きに対応して表示画面２２上に表示されたポインタＰが動くようになっている。
【００１７】
このような情報処理装置１０は、図２に示されるように、物理的には、ＣＰＵ１０ａ、ＲＡＭ１０ｂ、ＲＯＭ１０ｃ、入力装置１０ｄ、出力装置１０ｅ及び記録装置１０ｆを備えており、これらはバス１０ｇに接続されている。ＣＰＵ１０ａは、ＲＯＭ１０ｃや記録装置１０ｆ等の内蔵メモリに格納された所定のコンピュータソフトウェア（図５に示す情報処理装置１０の行う処理を実行するためのコンピュータプログラム等を含む）をＲＡＭ１０ｂにロードして実行することにより、情報処理装置１０を統括的に制御する。
【００１８】
入力装置１０ｄは、上述したキーボードやマウス等からなるデータ入力用デバイスであり、入力されたデータをＣＰＵ１０ａに出力する。出力装置１０ｅは、外部機器である液晶ディスプレイ等の表示装置２０に対し、所定の情報を表示させるための信号を出力する。記録装置１０ｆは、ＣＰＵ１０ａの実行可能なコンピュータソフトウェアを格納する。後述する各機能は、ＣＰＵ１０ａがＲＯＭ１０ｃや記録装置１０ｆ等に格納されたコンピュータソフトウェアを実行し、図２に示す情報処理装置１０の各構成部を動作させることにより実現される機能である。
【００１９】
続いて、図３を参照して、情報処理装置１０の機能構成について説明する。情報処理装置１０、機能的には、指示受付部１２（指示受付手段）、位置取得部１４（位置取得手段）、画像作成部１６（画像作成手段）及び表示制御部１８（表示制御手段）を備えている。
【００２０】
指示受付部１２は、表示画面２２におけるポインタＰの位置確認の指示を受け付ける部分である（図４参照）。指示受付部１２は、入力装置１０ｄであるマウスやキーボード等に対する特定の操作が使用者Ｍにより行われた場合、ポインタＰの位置確認の指示があったものと推定して、位置確認を開始する確認指示信号を生成する。指示受付部１２は、生成した確認指示信号を位置取得部１４に出力する。確認指示信号の生成トリガーとなる特定の操作としては、例えば、マウスにおける特定のクリック操作、マウス等によってポインタＰを一定回数以上回す動作、又は、キーボードに含まれる特定のボタンを押し下げする等の操作が例示される。
【００２１】
また、指示受付部１２は、表示画面２２に対して、後述する同心円表示がなされた後、その表示の終了指示を受け付ける部分でもある。指示受付部１２は、マウス１０ｄに対して終了指示の操作が行われた場合、同心円の表示処理を終了させる指示があったものと推定して、表示処理を終了する終了指示信号を生成する。指示受付部１２は、生成した終了指示信号を表示制御部１８に出力する。終了指示信号の生成トリガーとなる終了指示の操作としては、例えば、マウスを所定距離、移動させるような操作が例示される。
【００２２】
位置取得部１４は、指示受付部１２から確認指示信号の入力があり位置確認の指示を受け付けた場合、表示画面２２におけるポインタＰの位置情報を取得する。この位置情報は、表示画面２２上におけるポインタＰの中心の座標情報（Ｘ，Ｙ）であり、表示制御部１８がこの座標情報（Ｘ、Ｙ）を有している。位置取得部１４は、確認指示信号が入力されると、表示制御部１８からポインタＰの座標情報（Ｘ，Ｙ）を取得し、取得した座標情報（Ｘ，Ｙ）を画像作成部１６に出力する。
【００２３】
画像作成部１６は、位置取得部１４から座標情報（Ｘ，Ｙ）が入力されると、位置取得部１４で取得された座標情報（Ｘ，Ｙ）で示されるポインタ位置を中心（基準）とした同心円を表示画面２２の全体に表示させるための同心画像情報を作成する。画像作成部１６は、同心画像情報を作成するため、円描画用の基本データを不図示の格納部から取得し、そのデータに位置取得部１４から入力された座標情報（Ｘ，Ｙ）を組み入れることで、座標情報（Ｘ，Ｙ）を中心とした同心円を表示させるための同心画像情報を作成する。画像作成部１６は、作成した同心画像情報を表示制御部１８に出力する。なお、同心画像情報に含まれる同心円は、ポインタＰの位置を囲む円とその円を順に囲んでいく複数の円を含む図形群から構成される。
【００２４】
表示制御部１８は、画像作成部１６で作成された同心画像情報を用いて、表示画面２２にポインタＰを上述した同心円と共に表示させる。表示制御部１８は、画像作成部１６から同心画像情報が入力されると、その同心画像情報を用いて、図４（ａ）に示されるように、ポインタＰを中心とした同心円Ｃ１１〜Ｃ１５を表示画面２２上に表示させる。なお、画像作成部１６で作成された同心画像情報が二つの画面２２ａ，２２ｂをマルチモニタ化したものに対応している場合には、表示制御部１８は、図４（ｂ）に示されるように、二つの画面２２ａ，２２ｂにまたがった同心円Ｃ２１〜２５を表示画面２２ａ，２２ｂ上に表示させる。表示制御部１８は、上述した同心円の表示機能に加え、ポインタＰや他の各種情報（文字情報や画像情報）を表示画面２２に表示させる機能も有している。
【００２５】
続いて、上述した構成を備えた情報処理装置１０における表示制御方法について、図５を参照して説明する。
【００２６】
まず、指示受付部１２は、表示画面２２におけるポインタＰの位置確認の指示が使用者Ｍからあったか否かを判定する（ステップＳ１）。指示受付部１２は、マウスやキーボード等に対する特定の操作が使用者Ｍにより行われた場合、ポインタＰの位置確認の指示があったものと推定する。ステップＳ１で、ポインタＰの位置確認の指示があったと判定された場合、ステップＳ２に進み、位置取得部１４は、表示画面２２におけるポインタＰの現在の位置情報である座標情報（Ｘ，Ｙ）を表示制御部１８から取得する。
【００２７】
続いて、ステップＳ２でポインタＰの座標情報（Ｘ，Ｙ）を取得したら、ステップＳ３に進み、画像作成部１６は、取得した座標情報（Ｘ，Ｙ）で示されるポインタ位置を中心とした同心円を表示画面２２の全体に表示させるための同心画像情報を作成する。同心画像情報を作成するには、円描画用の基本データを不図示の格納部から取得し、そのデータに位置取得部１４から入力された座標情報（Ｘ，Ｙ）を組み入れることで、座標情報（Ｘ，Ｙ）を中心とした同心円を表示させるための同心画像情報を作成する。
【００２８】
続いて、ステップＳ３で同心画像情報が作成されると、ステップＳ４に進み、表示制御部１８が、ステップＳ３で作成された同心画像情報を用いて、例えば、図４（ａ）や図４（ｂ）に示されるように、表示画面２２にポインタＰを上述した同心円と共に表示させる。その後、指示受付部１２が、その表示の終了指示を使用者Ｍから受け付けるまで、その表示を継続させる（ステップＳ５）。指示受付部１２が、ステップＳ５において、所定の終了指示の操作を使用者Ｍから受け付けると、表示制御部１８に対して表示処理を終了する終了指示信号を送信して、その表示を終了させる（ステップＳ６）。
【００２９】
このように、本実施形態によれば、ポインタＰの位置を基準とした同心円Ｃ１１〜Ｃ１５、Ｃ２１〜Ｃ２５を表示画面２２の全体に表示させる同心画像情報を作成し、この同心画像情報を用いて表示画面２２にこれら同心円Ｃ１１〜Ｃ１５，Ｃ２１〜Ｃ２５を表示させるようにしている。この場合、ポインタＰの位置を基準とした同心円Ｃ１１〜Ｃ１５，Ｃ２１〜Ｃ２５を表示画面２２上に表示させて使用者Ｍに直感的に同心円Ｃ１１〜Ｃ１５，Ｃ２１〜Ｃ２５の中心方向（すなわちポインタＰ）を見るように促すことで、使用者ＭにポインタＰの現在位置を認識させるので、使用者ＭにポインタＰの位置を直感的に知らせることができる。また、ポインタＰの位置が所定の場所に移動等するのではなく感覚的にその位置を認識させるようになっているため、余分な時間をかけることなく短時間で使用者にポインタＰの位置を知らせることができる。
【００３０】
以上、本発明をその実施形態に基づき具体的に説明したが、本発明は、上記実施形態に限定されるものではない。例えば、上記実施形態では、各同心円Ｃ１１〜Ｃ１５，Ｃ２１〜Ｃ２５の線の太さが同じになるように表示させる円画像情報を用いて表示画面２２上に表示させていたが、図６（ａ）に示されるように、情報処理装置１０において、画像作成部１６が、同心円に含まれる各円Ｃ３１〜Ｃ３５を示す線の太さが位置情報で示されるポインタＰの位置から外に向かって徐々に細くなる同心画像情報を作成して、それを表示制御部１８によって表示させるようにしてもよい。また、図６（ｂ）に示されるように、画像作成部１６が、同心円に含まれる各円Ｃ４１〜Ｃ４５を示す線の濃度が位置情報で示されるポインタＰの位置から外に向かって徐々に薄くなる同心画像情報を作成して、それを表示制御部１８によって表示させるようにしてもよい。更に、図６（ｃ）に示されるように、画像作成部１６が、同心円Ｃ５１〜Ｃ５９に含まれる円であって隣接する円同士の間隔が位置情報で示されるポインタＰの位置から外に向かって徐々に広くなる同心画像情報を作成して、それを表示制御部１８によって表示させるようにしてもよい。これらの何れか又は組み合わせを用いることにより、使用者Ｍに対し、ポインタＰの現在位置を更に直感的に知らせることができ、早期にポインタＰの現在位置を認識させることができる。
【００３１】
また、上記実施形態では、各同心円Ｃ１１〜Ｃ１５，Ｃ２１〜Ｃ２５の表示タイミングを同一として表示画面２２上に表示させていたが、情報処理装置１０において、表示制御部１８は、表示画面２２に同心円Ｃ１１〜Ｃ１５，Ｃ２１〜Ｃ２５を表示させる際、同心円Ｃ１１〜Ｃ１５，Ｃ２１〜Ｃ２５に含まれる各円を、位置情報で示されるポインタＰの位置から外に向かって又は外からポインタＰに向かって、表示タイミングをずらして順に表示させるようにしてもよい。また、表示制御部１８は、表示画面２２に同心円を表示させる際、同心円Ｃ１１〜Ｃ１５，Ｃ２１〜Ｃ２５に含まれる各円が位置情報で示されるポインタＰの位置から外に波状に広がるように又は外からポインタＰの位置へ向かって狭まるように順に表示させるようにしてもよい。このように表示方法を工夫することによって、使用者Ｍに対し、ポインタＰの現在位置を更に直感的に知らせることができ、早期にポインタＰの現在位置を認識させることができる。
【００３２】
また、上記実施形態では、元々の作業画面を表示させずにポインタＰの位置のみを表示させる例を説明したが、図７（ａ）に示されるように、通常は作業画面として、表示画面２２にポインタＰ以外の情報Ｔ１〜Ｔ３（図７（ａ）における木や山）及びその背景情報Ｔ４が表示されているため、このような表示画面２２に上述した同心円Ｃ１１〜１５を重ねて表示させるようにしてもよい。この場合、元々の作業画面にそのまま同心円Ｃ１１〜Ｃ１５を重ねて表示させるようにしてもよいが、例えば、図７（ｂ）に示されるように、元々表示されていた木や山といった情報Ｔ１〜Ｔ３やその背景情報Ｔ４（つまり作業画面全体）を同心円Ｃ１１〜Ｃ１５の表示濃度よりも薄く又は半透明になるように変更して表示させてもよい。このように両者を重ねた表示を行うことにより、ポインタＰの現在位置と表示画面２２上に表示されている情報Ｔ１〜Ｔ３との位置関係を使用者Ｍが知ることができ、同心円の表示が終了して図７（ａ）に示す作業画面に戻った際、一旦分かったポインタＰの位置が再度分からなくなってしまうといった事態を避けることができる。しかも、情報Ｔ１〜Ｔ４を薄く又は半透明に表示する場合においては、情報Ｔ１〜Ｔ４に比べて同心円Ｃ１１〜Ｃ１５を強調させることができるので、ポインタＰの現在位置の認識をより促すことができる。
【００３３】
また、上記実施形態では、同心円の表示を終了させる際、特定の終了操作を必要としていたが、同心円を表示後、所定の時間（例えば５秒）が経過した場合に、自動的にその表示を終了させるようにしてもよい。また、上記実施形態では、同心円Ｃ１１〜Ｃ１５，Ｃ２１〜Ｃ２５を表示画面２２の全面にわたって表示するようにしたが、ポインタＰの現在位置を感覚的に認識できる範囲であれば、同心円Ｃ１１〜Ｃ１５，Ｃ２１〜Ｃ２５を表示画面２２の略全面（例えば表示画面２２の全体に対して８０〜９０％以上の領域）にわたって表示するようにしてもよい。また、上記実施形態では、同心状の図形として、同心円を例にとって説明したが、三角形や四角形などの多角形を同心状に配置した同心多角形を用いてもよい。更に、互いに相似する図形であれば、図８に示されるように、同心状の図形ではなく、ポインタＰの位置を囲む図形Ｃ６１とその図形Ｃ６１と相似し且つその図形Ｃ６１を順に囲む複数の図形Ｃ６２〜Ｃ６４を含む相似図形群からなる画像情報を用いて、表示を行うようにしてもよい。
【００３４】
また、上記実施形態では、マルチモニタとして２画面の場合について説明したが、図９に示されるように、４画面を用いたマルチモニタに本発明を適用してももちろんよい。なお、上記実施形態では、画面の大型化やマルチモニタ化の際の場合に本発明が好適であることを説明したが、逆に、タッチパネル付きの携帯電話等の小型の情報処理装置においても、その表示面積の小型化に伴ってポインタＰの表示が小さくなり使用者Ｍによって認識しづらくなるので、そのような小型の情報処理装置に本発明を適用してももちろんよい。
【符号の説明】
【００３５】
１０…情報処理装置、１２…指示受付部、１４…位置取得部、１６…画像作成部、１８…表示制御部、２０…表示装置、２２…表示画面、Ｐ…ポインタ、４０…操作情報、Ｌ…描画用フレーム。
【図１】
2011203852.tif 000003
【図２】
2011203852.tif 000004
【図３】
2011203852.tif 000005
【図４】
2011203852.tif 000006
【図５】
2011203852.tif 000007
【図７】
2011203852.tif 000008
【図８】
2011203852.tif 000009
【図９】
2011203852.tif 000010
【図６】
2011203852.tif 000011